(57)【特許請求の範囲】
【請求項１】
電気錠と、個人識別情報が記録された記録媒体と、前記記録媒体に記録された前記個人識別情報を読み取って認証して、前記電気錠を解錠させる個人識別情報認証解錠手段と、を備えて構成される電気錠システムにおいて、
伝言メッセージを前記個人識別情報に対応させて登録可能とした伝言メッセージ登録手段と、
前記個人識別情報認証解錠手段が読み取った前記個人識別情報に対応する伝言メッセージを、前記伝言メッセージ登録手段を参照して読み出す伝言メッセージ読出手段と、
前記伝言メッセージ読出手段により読み出された前記伝言メッセージを報知する伝言メッセージ報知手段と、を備えており、
前記伝言メッセージ登録手段は、住戸内に設置されるインターホン親機に設けられ、
前記伝言メッセージ報知手段は、住戸内に設置されるインターホン親機に接続された住戸外のドアホン子器に設けられ、
前記伝言メッセージ登録手段は、通信ネットワークを通じて、予め前記伝言メッセージが準備された外部の通信端末が接続されており、前記外部の通信端末をアクセスして、前記外部の通信端末から出力された伝言メッセージリストを受信して表示し、そこから選択操作された伝言メッセージを更に受信して、該伝言メッセージを、前記個人識別情報に対応させて登録することを特徴とする、電気錠システム。
【発明の詳細な説明】
【技術分野】
【０００１】
本発明は、電気錠システムに関し、詳しくは、記録媒体に記録された個人識別情報を読み取り、読み取った個人識別情報に対応させて登録された伝言メッセージを報知する電気錠システムに関する。
【背景技術】
【０００２】
近時においては、電気錠と、個人識別情報が記録された記録媒体と、記録媒体に記録された個人識別情報を読み取って認証して、電気錠を解錠させる個人識別情報認証解錠手段と、を備えて構成される電気錠システムが、戸建住宅や集合住宅において広く使用されている。
【０００３】
この種の電気錠システムは、特許文献１に示すようなものが知られており、このものでは、住民には、予め、個人識別情報が記録されたＩＣカードを配布しておき、これを所持した住民は、共用玄関や住戸玄関においてＩＣカードを読み取らせて、そのＩＣカードが認証されたときには、共用玄関錠や住戸玄関を解錠させるようにしている。
【０００４】
この種の電気錠システムには、住戸外に設置されたドアホン子器と通話をするためのインターホン親機が設けられているのが通例であり、インターホン親機側で、同居人に対する伝言メッセージを登録させておき、帰宅した同居人が、インターホン親機に予め登録させておいた伝言メッセージを再生出力させて用件を伝達できるようにしている。
【特許文献１】特開２００４−１８０１４０号公報
【発明の開示】
【発明が解決しようとする課題】
【０００５】
しかしながら、上記した従来の電気錠システムでは、帰宅した同居人が、インターホン親機により、予め登録させておいた伝言メッセージを再生出力させることはできるが、同居人毎に異なる伝言メッセージを再生出力させることはできないため、伝言メッセージを伝達する必要がない同居人に対しても、伝言メッセージを伝達することとなり、使い勝手の悪いものとなっていた。
【０００６】
本発明は、このような事情を考慮して提案されるものであり、従来から用いられている電気錠システムを有効利用して、帰宅した同居人毎に、異なる伝言メッセージを再生出力させることによって、伝言メッセージを伝達する必要がある同居人のみに対して伝言メッセージを伝達できる電気錠システムを提供することを目的とする。
【課題を解決するための手段】
【０００７】
上記目的を達成するため、本発明の請求項１に記載の電気錠システムでは、電気錠と、個人識別情報が記録された記録媒体と、前記記録媒体に記録された前記個人識別情報を読み取って認証して、前記電気錠を解錠させる個人識別情報認証解錠手段と、を備えて構成される電気錠システムにおいて、伝言メッセージを前記個人識別情報に対応させて登録可能とした伝言メッセージ登録手段と、前記個人識別情報認証解錠手段が読み取った前記個人識別情報に対応する伝言メッセージを、前記伝言メッセージ登録手段を参照して読み出す伝言メッセージ読出手段と、前記伝言メッセージ読出手段により読み出された前記伝言メッセージを報知する伝言メッセージ報知手段と、を備えており、前記伝言メッセージ登録手段は、住戸内に設置されるインターホン親機に設けられ、前記伝言メッセージ報知手段は、住戸内に設置されるインターホン親機に接続された住戸外のドアホン子器に設けられ、前記伝言メッセージ登録手段は、通信ネットワークを通じて、予め前記伝言メッセージが準備された外部の通信端末が接続されており、前記外部の通信端末をアクセスして、前記外部の通信端末から出力された伝言メッセージリストを受信して表示し、そこから選択操作された伝言メッセージを更に受信して、該伝言メッセージを、前記個人識別情報に対応させて登録する。
【発明の効果】
【００１１】
本発明の請求項１に記載の電気錠システムによれば、電気錠と、個人識別情報が記録された記録媒体と、前記記録媒体に記録された前記個人識別情報を読み取って認証して、前記電気錠を解錠させる個人識別情報認証解錠手段と、を備えて構成される電気錠システムにおいて、伝言メッセージを前記個人識別情報に対応させて登録可能とした伝言メッセージ登録手段と、前記個人識別情報認証解錠手段が読み取った前記個人識別情報に対応する伝言メッセージを、前記伝言メッセージ登録手段を参照して読み出す伝言メッセージ読出手段と、前記伝言メッセージ読出手段により読み出された前記伝言メッセージを報知する伝言メッセージ報知手段と、を備えている。
【００１２】
したがって、電気錠解錠のために用いられる個人識別情報認証解錠手段によって、記録媒体に記録された個人識別情報を読み取られたときには、伝言メッセージ読出手段によって、伝言メッセージ登録手段を参照して、該個人識別情報に対応する伝言メッセージを読み出して、読み出した伝言メッセージを伝言メッセージ報知手段によって報知させる。
【００１３】
これにより、電気錠解錠のために用いられる個人識別情報認証解錠手段に、記録媒体に記録された個人識別情報を読み取らせたときには、該個人識別情報に対応して登録された伝言メッセージが報知されるので、帰宅した同居人は、自らに対応した伝言メッセージを聞くために特別な操作をする必要なく、電気錠の解錠のために、自らが所有する記録媒体を読み取らせるだけで、自らに対応した伝言メッセージを再生出力させることができ、便利なシステムとなる。
したがって、従来から用いられている電気錠システムを有効利用して、帰宅した同居人毎に、異なる伝言メッセージを再生出力させることによって、伝言メッセージを伝達する必要がある同居人のみに対して伝言メッセージを伝達できる電気錠システムを提供できる。
【００１４】
また、伝言メッセージ登録手段は、住戸内に設置されるインターホン親機に設けられている。
【００１５】
したがって、伝言メッセージを、住戸内に設置されるインターホン親機側で登録させることができ、利便であるとともに、インターホン親機に予め備える既存の設備を用いて、伝言メッセージを登録させることができ、新たにメッセージ登録用のマイクやスピーカ、制御手段などを必要とせず、製造コストを抑制できる。
【００１６】
また、伝言メッセージ報知手段は、住戸内に設置されるインターホン親機に接続され、住戸外に設置されたドアホン子器に設けられている。
【００１７】
したがって、個人識別情報認証解錠手段で、個人識別情報が記録された記録媒体を読み取らせたときには、その個人識別情報に対応する伝言メッセージが、ドアホン子器により報知される。
【００１８】
これにより、電気錠を解錠させることはできないが、伝言メッセージを伝達する必要のある重要なお客に対して、そのお客向けの伝言メッセージを伝達することができ、利便にできる。
【００１９】
また、伝言メッセージ登録手段は、通信ネットワークを通じて、予め伝言メッセージが準備された外部の通信端末が接続されており、外部の通信端末をアクセスして、外部の通信端末から出力された伝言メッセージを受信し、受信した伝言メッセージを、個人識別情報に対応させて登録する。
【００２０】
したがって、外部の通信端末側で、定期的に、伝言メッセージを更新するようにすれば、伝言メッセージ登録手段は、外部の通信端末にアクセスするだけで、常に更新された伝言メッセージを受信して登録することができ、利便にできる。
【発明を実施するための最良の形態】
【００２１】
以下、本発明の実施の形態について、図面とともに説明する。
[第１実施例]
図１は、本発明の電気錠システムの第１実施例を示すシステム系統図である。
【００２２】
このような電気錠システムＳには、複数の住戸を設けており、各住戸内には、伝言メッセージ登録手段Ａ、伝言メッセージ読出手段Ｂ、伝言メッセージ報知手段Ｃを備えたインターホン親機１が設置されており、制御線、通話線、映像線で構成された伝送ラインＬ１を通じて、住戸外に設置されているドアホン子器２が接続されている。
【００２３】
伝言メッセージ登録手段Ａは、伝言メッセージを、少なくとも、音声データ、文字データといったデータ形式で、個人識別情報に対応させて登録可能としている。ここに、個人識別情報には、ＩＤコード、指紋情報、虹彩情報、音声情報、静脈情報など、個人を識別できる情報すべてが含まれるが、以下、本実施例では、個人識別情報としてＩＤコードを例示することにする。
【００２４】
また、伝言メッセージ読出手段Ｂは、後述する個人識別情報認証解錠手段が記録媒体Ｉから読み取った個人識別情報に対応する伝言メッセージを、伝言メッセージ登録手段Ａを参照して読み出す。ここに、個人識別情報が記録された記録媒体Ｉは、非接触型のＩＣタグが内蔵されたＩＤカードを用いるが、接触型の記録媒体Ｉであってもよい。また、ＳＵＩＣＡ（登録商標）、ＩＣＯＣＡ（登録商標）、ＰＩＴＡＰＡ（登録商標）などの非接触記録媒体Ｉや、ＦＥＬＩＣＡ（登録商標）を搭載した携帯電話端末等を用いることもできる。
【００２５】
更に、伝言メッセージ報知手段Ｃは、少なくとも、スピーカＳＰ、マイクＭＩＣ（図２参照）のいずれかで構成されており、伝言メッセージ読出手段Ｂにより読み出された伝言メッセージを報知する。
【００２６】
なお、伝言メッセージ登録手段Ａ、伝言メッセージ読出手段Ｂ、伝言メッセージ報知手段Ｃの構成、制御動作については、後述する。
【００２７】
インターホン親機１は、ドアホン子器２から呼出を受け、応答したときには、両者の間で、伝送ラインＬ１を通じた通話路が形成されて通話可能となる。
【００２８】
また、インターホン親機１は、制御線で構成された伝送ラインＬ４を通じて、住戸外に設置された個人識別情報認証解錠手段Ｄが接続されている。個人識別情報認証解錠手段Ｄは、伝送ラインＬ４を通じて電気錠５を接続した電気錠制御装置３と、個人識別情報読取照合装置４とを、伝送ラインＬ４を通じて接続することによって構成されており、個人識別情報読取照合装置４は、伝送ラインＬ４を通じてインターホン親機１に接続されている。
【００２９】
個人識別情報認証解錠手段Ｄは、個人識別情報として、ＩＤコードが予め登録させており、個人識別情報読取照合装置４によって読み取られたＩＤコードを、予め登録されたＩＤコードと照合して、認証を確認したときには、電気錠５を解錠させる構成としている。
【００３０】
すなわち、個人識別情報読取照合装置４には、図５（ｂ）に示すように、予めＩＤコードが登録されており、記録媒体Ｉに予め記録されたＩＤコードを読み取ったときに、予め登録されているＩＤコードと照合して一致したときには、伝送ラインＬ４を通じて電気錠解錠信号を電気錠制御装置３に送出する。電気錠制御装置３は、伝送ラインＬ４を通じて電気錠解錠信号が送出されてきたときには、伝送ラインＬ４を通じて電気錠駆動信号を電気錠５に送出して、電気錠５を解錠させる。
【００３１】
なお、本実施例では、個人識別情報読取照合手段４は、ＩＤコードを読み取る機能と、読み取ったＩＤコードと、予め登録されているＩＤコードとを照合する機能とを備えており、一致したときには、電気錠解錠信号を電気錠制御装置３に送出する構成としているが、本発明では、この例には限られず、個人識別情報読取照合手段４に、ＩＤコードを照合する機能を設けずに、読み取ったＩＤコードを送出する機能のみ備え、ＩＤコードを照合する機能を電気錠制御装置３に設けて、照合できたときには、電気錠駆動信号を電気錠５に送出する構成としてもよい。
【００３２】
また、インターホン親機１は、ドアホン子器２との通話中に、解錠許可操作を受付たときには、解錠許可信号を、伝送ラインＬ４を通じて電気錠制御装置３に送出して電気錠５を解錠させることもできる。なお、この場合、個人識別情報読取照合装置４は、インターホン親機１から送出された解錠許可信号を中継送信するのみである。
【００３３】
更に、インターホン親機１は、制御線、通話線、映像線で構成された伝送ラインＬ１を通じて、分岐器６に接続されている。分岐器６は、映像制御盤７から導出された伝送ラインＬ１を分岐させて、各住戸のインターホン親機１を接続するために設けられている。
【００３４】
映像制御盤７は、制御線、通話線で構成された伝送ラインＬ２を通じて接続された警報監視盤８による制御により作動して、ロビーインターホン９に内蔵されたカメラ９３（図４参照）により撮影され、伝送ラインＬ３を通じて送出されてきた来客映像の映像信号を、ノイズを除去しながら、目的の住戸のインターホン親機１に送出する機能を少なくとも備えている。このとき、目的の住戸のインターホン親機１では、モニタ１３（図２参照）に来客映像が表示される。
【００３５】
警報監視盤８には、伝送ラインＬ２を通じて映像制御盤７、ロビーインターホン９が接続されている。
【００３６】
このような警報監視盤８は、ロビーインターホン９から、伝送ラインＬ２を通じて、住戸番号を含んだ呼出信号を受信したときには、伝送ラインＬ２、伝送ラインＬ１を通じて、目的の住戸のインターホン親機１に対して呼出信号を送出して、その住戸のインターホン親機１により呼出処理を行わせる。
【００３７】
これとともに、警報監視盤８は、伝送ラインＬ２を通じて制御信号を送出して、映像制御盤７を作動させるとともに、伝送ラインＬ２を通じて制御信号を送出して、ロビーインターホン９に内蔵されているカメラを作動させて、来客映像を撮影させ、撮影された来客映像を映像信号として、伝送ラインＬ３を通じて映像制御盤７に送出させる。
【００３８】
また、このような警報監視盤８は、呼出処理を行わせた住戸のインターホン親機１が応答操作を受け付けたときには、伝送ラインＬ１、伝送ラインＬ２を通じて、応答信号を受信して、ロビーインターホン９と、応答操作を受け付けた住戸のインターホン親機１との間の通話路を、伝送ラインＬ１、伝送ラインＬ２によって形成する。
【００３９】
更に、警報監視盤８は、ロビーインターホン９と通話中のインターホン親機１が解錠操作を受け付けたときには、そのインターホン親機１から解錠許可信号が伝送ラインＬ１、伝送ラインＬ２を通じて送出されるので、ロビーインターホン９に対して、解錠許可信号を中継送信する。
【００４０】
すると、解錠許可信号を中継送信されたロビーインターホン９は、伝送ラインＬ４を通じて電気錠制御装置３に解錠許可信号を中継送信して、電気錠制御装置３から電気錠駆動信号を送出させて、電気錠５を解錠させる。
【００４１】
更に、警報監視盤８は、通信線で接続された伝送ラインＬ５を通じて、予め、伝言メッセージが準備された外部の通信端末１０が接続された、インターネットなどの通信ネットワークＮが接続されており、各住戸のインターホン親機、あるいは、外部の通信端末１０による接続要求を受けて、両者を接続し、両者の間で、公知のプロトコルにしたがって、ネットワーク通信できるようにしている。
【００４２】
図２は、本発明の電気錠システムＳで用いられるインターホン親機１とドアホン子器２の基本構成の一例を示すブロック図である。
【００４３】
インターホン親機１は、少なくとも制御部１１、制御線、通話線、映像線で構成された伝送ラインＬ１を通じて各種信号を伝送するための伝送送受信部１２、ドアホン子器２やロビーインターホン９からの映像を映し出し、液晶表示器等で構成されたモニタ１３、伝送ラインＬ１、Ｌ３を通じて入力された映像信号を制御し、モニタ１３に映像信号を出力して表示させる映像処理部１４、伝送ラインＬ１、Ｌ３を通じてドアホン子器２やロビーインターホン９、警報監視盤８との相互通話ができるよう制御をする通話部１５、各種操作キー等で構成された操作部１６、各種プログラム等が記憶された記憶部１７を備えている。
【００４４】
通話部１５には音声を入出力するマイクロホンＭＩＣ及びスピーカＳＰが接続されている。そして、インターホン親機１は、インタフェース１８には、伝送ラインＬ１を通じてドアホン子器２が接続されており、伝送ラインＬ４を通じて個人識別情報認証解錠手段Ｄが接続されている。
【００４５】
このような構成のインターホン親機１では、先述した伝言メッセージ登録手段Ａは、少なくとも、制御部１１、操作部１６、記憶部１７で構成されている。また、先述した伝言メッセージ読出手段Ｂは、少なくとも、制御部１１で構成されている。更に、先述した伝言メッセージ報知手段Ｃは、スピーカＳＰ、モニタ１３のいずれかで構成されている。
【００４６】
ドアホン子器２は、少なくとも制御部２１、伝送ラインＬ１を通じて各種信号の伝送をするためのインタフェース２１、伝送ラインＬ１を通じてインターホン親機１との相互通話ができるよう制御をする通話部２２、ドアホン子器２の少なくとも前方を撮影するカメラ部２３、カメラ２３で撮影した映像を処理する映像処理部２４を備えている。
【００４７】
図３は、本発明の電気錠システムＳで用いられる警報監視盤８の基本構成の一例を示すブロック図であり、警報監視盤８は、少なくとも以下の構成要素を制御する制御部８０、インターホン親機１の住戸番号を入力するためのキー等を有する操作部８１、伝送ラインＬ２を通じて各種信号を伝送するための伝送送受信部８２、記憶部８３、インターホン親機１における異常発生を報知するための警報音や警報メッセージを生成してスピーカ（不図示）から送出する警報音出力部８４、操作部８１で指定された住戸番号等を表示する表示部８５、通話部８６を備えている。
そして、警報監視盤８は、インタフェース８７に対して、外部の通信端末１０が接続された通信ネットワークＮが接続されている。
【００４８】
図４は、本発明の電気錠システムＳで用いられるロビーインターホン９の基本構成の一例を示すブロック図であり、このロビーインターホン９は、少なくとも制御部９０、伝送ラインＬ２を通じて各種信号の伝送をするための伝送送受信部９１、住戸番号を指定するための番号キーや呼出釦を有する操作部９２、来客者を撮影するカメラ９３、カメラ部９３での撮影によって形成された映像信号を制御する映像処理部９４と、呼出先のインターホン親機１若しくは警報監視盤８との間でマイクＭＩＣとスピーカＳＰを使用したハンズフリー通話をするための通話部９５、記憶部９６、操作部９２で指定された住戸番号等を表示する表示部９７を備えている。
【００４９】
このような構成のロビーインターホン９では、インタフェース９８には、伝送ラインＬ４を通じて、電気錠５が付加接続された電気錠制御装置３が接続されている。
【００５０】
図５は、本発明の第１実施例で例示される電気錠システムＳで用いられるＩＤコードの登録例を示しており、図５（ａ）は伝言メッセージ登録手段Ａに含まれる伝言メッセージテーブルＴの構成の一例を示す図であり、図５（ｂ）は個人識別情報読取照合装置４に登録されたＩＤコードの一例を示す図である。
【００５１】
図５（ａ）に例示するように、伝言メッセージテーブルＴでは、伝言メッセージは、ＩＤコードの各々に対応させて、少なくとも、音声データ、文字データのいずれかのデータ形式で登録されている。
【００５２】
例えば、ＩＤコード「１２３４５６７８」に対応させて、同居人に伝達させるべき伝言メッセージ「○時に××駅迄迎えに来てください」が登録されており、ＩＤコード「１２３４１２３４」に対応させて、子供Ａに伝達させるべき伝言メッセージ「塾に行きなさい」が登録されおり、ＩＤコード「１２３４４３２１」に対応させて、子供Ｂに伝達させるべき伝言メッセージ「宿題をしましょう」が登録されている。
【００５３】
一方、図５（ｂ）に例示するように、個人識別情報読取照合装置４に登録されているＩＤコードは、伝言メッセージ登録手段Ａに含まれる伝言メッセージテーブルＴと同じＩＤコードが登録されている。
【００５４】
インターホン親機１では、伝言メッセージ登録手段Ａは、後述する伝言メッセージ登録モードを実行して、伝言メッセージテーブルＴに、各ＩＤコードに対応させて伝言メッセージを登録させる。
【００５５】
図６は、インターホン親機１の伝言メッセージ登録手段Ａが実行する伝言メッセージ登録モードの基本動作の一例を示すフローチャートである（１００〜１１０）。
【００５６】
伝言メッセージ登録手段Ａを構成する制御部１１は、操作部１６の操作により、伝言メッセージ登録モードを開始させるための操作を受け付けて、警報監視盤８に対して、通信ネットワークＮへのアクセス要求を行い、それを受けた警報監視盤８の制御処理によって、
外部の通信端末１０へのアクセスを行う（１０１）。
【００５７】
そして、予め登録されているＩＤコードのいずれかが、操作部１６の操作により選択され（１０１）、更に、操作部１６の操作により、伝言メッセージリストの送出を要求するための操作を受け付けたときには（１０２）、外部の通信端末１０に対して伝言メッセージリストを送出する要求を行い（１０３）、外部の通信端末１０から送出されてくる伝言メッセージリストを受信したときには、モニタ１３に表示する（１０４，１０５）。
【００５８】
そして、操作部１６の操作により伝言メッセージが選択されて、選択された伝言メッセージを要求するための操作を受け付けたときには（１０６）、外部の通信端末１０へ伝言メッセージを送出するように要求し（１０７）、送出されてきた伝言メッセージを受信したときには（１０８）、受信した伝言メッセージを、予め選択されているＩＤコードに対応させて記憶部１７に登録する（１０９）。そして、操作部１６の操作により、伝言メッセージ登録モードの終了を指示するための操作を受け付けたときには（１１０）、伝言メッセージ登録モードを終了する。
【００５９】
このように、外部の通信端末１０にアクセスして伝言メッセージを登録できるので、外部の通信端末１０側で、定期的に、伝言メッセージを更新するようにすれば、伝言メッセージ登録手段Ａは、外部の通信端末１０にアクセスするだけで、常に更新された伝言メッセージを受信して登録することができ、利便にできる。
なお、外部の通信端末１０から、警報監視盤８を通じて、各住戸のインターホン親機１を通信ネットワークＮを通じてアクセスして、常に更新された伝言メッセージを、警報監視盤８を通じて、各住戸のインターホン親機１にアップロードして、登録させるようにしてもよい。
【００６０】
図７は、インターホン親機１の伝言メッセージ登録手段Ａが実行する伝言メッセージ登録モードの基本動作の他例を示すフローチャートである（２００〜２０４）。
【００６１】
伝言メッセージ登録手段Ａを構成する制御部１１は、操作部１６の操作により、伝言メッセージ登録モードを開始させるための操作を受け付けた後に、記憶部１７に予め登録されているＩＤコードのいずれかを選択させる。
【００６２】
操作部１６の操作により、ＩＤコードのいずれかが選択されたときには（２００）、例えば、「ピーとなった後に伝言メッセージを残して下さい」といったガイドメッセージを、スピーカＳＰから鳴動させるか、モニタ１３に表示させる（２０１）。
【００６３】
そして、マイクＭＩＣを通じた伝言メッセージの吹き込みに対して待機し、その後、伝言メッセージがマイクＭＩＣに吹き込まれたときには（２０２）、吹き込まれた伝言メッセージを、予め選択されているＩＤコードに対応させて記憶部１７に登録する（２０３）。そして、操作部１６の操作により、伝言メッセージ登録モードの終了を指示するための操作を受け付けたときには（２０４）、伝言メッセージ登録モードを終了する。
【００６４】
なお、先述したような伝言メッセージ登録モードでは、予め記憶部１７に登録されていないＩＤコードに対応させて伝言メッセージを登録したい場合には、ＩＤコードを手入力してもよい。また、登録された伝言メッセージは、登録有効期間や、報知有効回数を予め定めておき、登録有効期間を経過した場合や、報知有効回数だけ報知された場合には、該伝言メッセージを自動消去してもよい。
【００６５】
更に、一度登録された伝言メッセージを保存しておいて、他の機会に再度同じ伝言メッセージを利用できるようにしてもよく、例えば、一度登録された伝言メッセージを対応付けるＩＤコードを変更できるようにしてもよい。
更に、住人がマイクＭＩＣに吹き込んで伝言メッセージを登録するのではなく、予め登録された定型の伝言メッセージの複数のうち、いずれか選択された伝言メッセージを登録するようにしてもよい。
【００６６】
このように、伝言メッセージを、住戸内に設置されるインターホン親機１側で登録させることができるので、利便であるとともに、インターホン親機１に予め備える既存の設備を用いて、伝言メッセージを登録させることができ、新たにメッセージ登録用のマイクやスピーカ、制御手段などを必要とせず、製造コストを抑制できる。
【００６７】
なお、ＩＤコードを、伝言メッセージ登録手段Ａ、個人識別情報認証解錠手段Ｄのいずれか一方に登録して共用する構成にして、ＩＤコードを伝言メッセージ登録手段Ａに登録すれば、個人識別情報認証解錠手段Ｄにも同時に登録できるようにしてもよい。また、その逆として、ＩＤコードを個人識別情報認証解錠手段Ｄに登録すれば、伝言メッセージ登録手段Ａにも同時に登録できるようにしてもよい。
【００６８】
図８は、本発明の第１実施例に例示する電気錠システムの基本動作の一例を示すフローチャートである（３００〜３０９）。
【００６９】
個人識別情報読取照合装置４は、記録媒体Ｉに記録されたＩＤコードを読み取ったときには（３００）、予め登録されているＩＤコードと照合し（３０１）、登録されているＩＤコードと一致しなかったときには（３０２のＮ）、エラー報知を行う（３０３）。ここに、エラー報知の態様は、種々考えられるが、例えば、エラー音を鳴動させたり、エラー表示を行う。
【００７０】
一方、登録されているＩＤコードと一致したときには（３０２のＹ）、電気錠解錠信号を伝送ラインＬ４を通じて電気錠解錠装置３に送出するとともに、読み取ったＩＤコードをインターホン親機１の伝言メッセージ読出手段Ｂに送出する（３０４）。
【００７１】
これにより、電気錠解錠装置３は、電気錠５に電気錠駆動信号を送出して解錠させ（３０５）、伝言メッセージ読出手段Ｂは以下のステップ３０６〜３０８の処理を行う。
【００７２】
すなわち、伝言メッセージ読出手段Ｂは、伝言メッセージ登録手段Ａをアクセスして（３０７）、伝言メッセージ登録手段Ａに含まれる伝言メッセージテーブルＴを参照して、伝言メッセージテーブルＴに予め登録されているＩＤコードと一致するかどうかを照合する（３０７）。
【００７３】
その結果、伝言メッセージテーブルＴに予め登録されているＩＤコードと一致したときには（３０７のＹ）、個人識別情報読取照合装置４から送出されたＩＤコードに対応して登録されている伝言メッセージを読み出して、伝言メッセージ報知手段Ｃに送出する（３０８）。そして、伝言メッセージ報知手段Ｃは、伝言メッセージ読出手段Ｂから送出された伝言メッセージを受信して、スピーカＳＰから鳴動させるか、モニタ１３により表示させる（３０９）。
【００７４】
このように、第１実施例で例示した電気錠システムＳによれば、伝言メッセージ登録手段Ａと、個人識別情報認証解錠手段Ｄとで共通して登録されているＩＤコードが予め記録されている記録媒体Ｉを、個人情報読取照合装置４に読み取らせたときには、電気錠５が解錠されるとともに、インターホン親機１により、そのＩＤコードに対応した伝言メッセージが報知される。
【００７５】
これにより、個人識別情報読取照合装置４に、記録媒体Ｉを玄関先で読み取らせたときには、電気錠５が解錠されるとともに、該ＩＤコードに対応して登録された伝言メッセージがインターホン親機１により報知されるので、住戸に入った同居人毎に、異なる伝言メッセージを再生出力させることができ、利便にできる。
【００７６】
なお、伝言メッセージ読出手段Ｂは、伝言メッセージ登録手段Ａから伝言メッセージを読み出した直後に、伝言メッセージ報知手段Ｃに伝言メッセージを送出するのではなく、伝言メッセージ読出手段Ａから伝言メッセージを読み出してから、一定時間（例えば、玄関先からインターホン親機１が設置されているリビングルームにたどり着くだろうと考えられる時間）が経過した後に、伝言メッセージ報知手段Ｃに送出するように、伝言メッセージを読み出してから報知するまでの時間差を設けてもよい。このようにすれば、帰宅した同居人に確実に伝言メッセージを伝達することができる。
【００７７】
また、個人識別情報読取照合装置４は、電気錠解錠信号と、ＩＤコードのそれぞれを同時に送出するのではなく、電気錠解錠信号を送出してから、先述した一定時間が経過した後に、ＩＤコードを送出するようにしてもよい。このようにしても、帰宅した同居人がドアを開けて、インターホン親機１が設置されているリビングルームにたどり着くだろうと考えられる時点で、伝言メッセージを伝達することができ、伝言メッセージの伝達を確実に行うことができる。
［第２実施例］
図９は、本発明の電気錠システムの第２実施例を示すシステム系統図であり、この第２実施例では、伝言メッセージ報知手段Ｃは、各住戸の屋外に設けられるドアホン子器２に設けられている点で、第１実施例と相違しており、ドアホン子器２に内蔵されているスピーカＳＰで構成されている。なお、本発明の第２実施例では、図１に例示する第１実施例の構成と同一の構成については、同一符号を付して説明を省略する。
【００７８】
図１０は、本発明の第２実施例で例示される電気錠システムで用いられるＩＤコードの登録例を示しており、図１０（ａ）は伝言メッセージ登録手段Ａに含まれる伝言メッセージテーブルＴの構成の一例を示す図であり、図１０（ｂ）は個人識別情報読取照合装置４に登録されたＩＤコードの一例を示す図である。
【００７９】
図１０（ａ）に示す伝言メッセージテーブルＴでは、第１実施例で例示される伝言メッセージテーブルＴとは異なり、個人識別情報読取照合装置４に登録されていないＩＤコード「１１１２２１１」を、来客用として、伝言メッセージ「○時に帰宅しますので、もう少々お待ちください」を登録している。
【００８０】
つまり、第２実施例に例示する電気錠システムでは、伝言メッセージ登録手段Ａと、個人識別情報読取照合装置４とで共通して登録されているＩＤコードを読み取ったときには、電気錠５の解錠と、伝言メッセージ報知の双方を行うが、伝言メッセージ登録手段Ａには登録されているが、個人識別情報読取照合装置４に登録されていないＩＤコードを読み取ったときには、電気錠５の解錠を行わず、そのＩＤコードに対応した伝言メッセージの報知のみを行う。
【００８１】
図１１は、本発明の第２実施例に例示する電気錠システムの基本動作の一例を示すフローチャートである（４００〜４０９）。
【００８２】
個人識別情報読取照合装置４は、図８に示すステップ３００から３０２と同じ処理（ステップ４００〜４０２）を行った後には、以下の処理を行う。すなわち、読み取ったＩＤコードが、予め登録されているＩＤコードと一致しなかったときには（４０２のＮ）、読み取ったＩＤコードを伝言メッセージ読出手段Ｂに送出する（４０３）。
【００８３】
一方、個人識別情報読取照合装置４は、登録されているＩＤコードと一致したときには（４０２のＹ）、電気錠解錠信号を伝送ラインＬ４を通じて電気錠解錠装置３に送出するとともに、読み取ったＩＤコードを、伝送ラインＬ４を通じて、インターホン親機１の伝言メッセージ読出手段Ｂに送出する（４０４）。
【００８４】
これにより、電気錠解錠装置３、伝言メッセージ読出手段Ｂは、以下のステップを行う。すなわち、電気錠解錠装置３は、個人識別情報読取照合装置４から送出された電気錠解錠信号を受信して、電気錠５を解錠させる（４０５）。
【００８５】
また、伝言メッセージ読出手段Ｂは、伝言メッセージ登録手段Ａをアクセスして（４０６）、伝言メッセージ登録手段Ａに含まれる伝言メッセージテーブルＴを参照して、伝言メッセージテーブルＴに予め登録されているＩＤコードと一致するかどうかを照合する（４０７）。
【００８６】
その結果、伝言メッセージテーブルＴに予め登録されているＩＤコードと一致したときには（４０７のＹ）、個人識別情報読取照合装置４から送出されたＩＤコードに対応して登録されている伝言メッセージを読み出して、伝言メッセージ報知手段Ｃに送出する（４０８）。そして、伝言メッセージ報知手段Ｃは、伝言メッセージ読出手段Ｂから送出された伝言メッセージを受信して、スピーカＳＰから鳴動させる（４０９）。
【００８７】
このように、第２実施例で例示した電気錠システムＳによれば、伝言メッセージ登録手段Ａには登録されているが、個人識別情報読取照合装置４に登録されていないＩＤコードを読み取ったときには、電気錠５の解錠を行わず、そのＩＤコードに対応した伝言メッセージの報知のみを行う。
【００８８】
したがって、電気錠を解錠させることはできないが、伝言メッセージを伝達する必要のある重要なお客に対して、ドアホン子器２により客向けの伝言メッセージを伝達することができ、利便にできる。
［第３実施例］
図１２は、本発明の電気錠システムの第３実施例を示すシステム系統図であり、この第３実施例では、伝言メッセージ報知手段Ｃ、個人識別情報認証解錠手段Ｄは、共同玄関などに設けられるロビーインターホン９側に設けられている点で、第１、２実施例と相違している。
【００８９】
そして、伝言メッセージ報知手段Ｃは、ロビーインターホン９に内蔵されているスピーカＳＰ、表示部９７のいずれかで構成されている。また、個人識別情報認証解錠手段Ｄは、ロビーインターホン４に伝送ラインＬ４を通じて接続された個人情報読取照合装置４と電気錠制御装置３とを伝送ラインＬ４を通じて接続することによって構成されており、電気錠制御装置３には伝送ラインＬ４を通じて電気錠５が接続されている。
【００９０】
なお、本発明の第３実施例では、図１に例示する第１実施例の構成と、図９に例示する第２実施例の構成と同一の構成については、同一符号を付して説明を省略する。
また、伝言メッセージ登録手段Ａに含まれる伝言メッセージテーブルＴ、個人識別情報読取照合装置４のそれぞれの登録内容は、図１０に示す第２実施例と同一である。
【００９１】
図１３は、本発明の第３実施例に例示する電気錠システムの基本動作の一例を示すフローチャートである（５００〜５０９）。なお、第３実施例に例示する電気錠システムＳの基本的な制御処理は、第２実施例に例示する電気錠システムＳの基本的な制御処理とほぼ共通するので、異なる制御処理だけ、以下に説明する。
すなわち、ステップ５０３では、個人識別情報読取照合装置４は、読み取ったＩＤコードを、伝言メッセージ読出手段Ｂに送出するために、まず、伝送ラインＬ２を通じてＩＤコードを警報監視盤８に送出し、これを受けた警報監視盤８は、個人識別情報読取照合装置４から送出されてきたＩＤコードを、伝送ラインＬ１，Ｌ２を通じて、各住戸のインターホン親機１に中継送出する。こうすれば、各住戸のインターホン親機１に備えられている伝言メッセージ読出手段Ｂは、個人識別情報読取照合装置４から送出されてきたＩＤコードを受信できる。
【００９２】
また、ステップ５０４では、個人識別情報読取照合装置４は、電気錠解錠信号を伝送ラインＬ４を通じて、ロビーインターホン９側の電気錠解錠装置３に送出するとともに、読み取ったＩＤコードを、先述したように、警報監視盤８に中継送出させて、各住戸の伝言メッセージ読出手段Ｂに送出する。
【００９３】
更に、ステップ５０８では、伝言メッセージ読出手段Ｂは、読み出した伝言メッセージを、伝送ラインＬ１、伝送ラインＬ２を通じて警報監視盤８に送出し、警報監視盤８は、伝言メッセージ読出手段Ｂから送出されてきた伝言メッセージを伝送ラインＬ２を通じてロビーインターホン９に中継送出する。
【００９４】
更に、ステップ５０９では、伝言メッセージ報知手段Ｃは、伝言メッセージ読出手段Ｂから送出された伝言メッセージを受信して、受信した伝言メッセージをスピーカＳＰにより鳴動させるか、表示部９７により表示させる。
【００９５】
このように、第３実施例で例示した電気錠システムＳによれば、伝言メッセージ登録手段Ａには登録されているが、個人識別情報読取照合装置４に登録されていないＩＤコードを読み取ったときには、電気錠５の解錠を行わず、そのＩＤコードに対応した伝言メッセージの報知のみを行う。
【００９６】
したがって、電気錠５を解錠させることはできないが、伝言メッセージを伝達する必要のある重要なお客に対して、ロビーインターホン９によりお客向けの伝言メッセージを伝達することができ、利便にできる。
【図面の簡単な説明】
【００９７】
【図１】本発明の電気錠システムの第１実施例を示すシステム系統図
【図２】本発明の電気錠システムの第１実施例で用いられるインターホン親機とドアホン子器の基本構成の一例を示すブロック図
【図３】本発明の電気錠システムの第１実施例で用いられる警報監視盤の基本構成の一例を示すブロック図
【図４】本発明の電気錠システムの第１実施例で用いられるロビーインターホンの基本構成の一例を示すブロック図
【図５】本発明の第１実施例で例示される電気錠システムで用いられるＩＤコードの登録例を示す図
【図６】伝言メッセージ登録手段が実行する伝言メッセージ登録モードの基本動作の一例を示すフローチャート
【図７】伝言メッセージ登録手段が実行する伝言メッセージ登録モードの基本動作の他例を示すフローチャート
【図８】本発明の第１実施例に例示する電気錠システムの基本動作の一例を示すフローチャート
【図９】本発明の電気錠システムの第２実施例を示すシステム系統図
【図１０】本発明の第２実施例で例示される電気錠システムで用いられるＩＤコードの登録例を示す図
【図１１】本発明の第２実施例に例示する電気錠システムの基本動作の一例を示すフローチャート
【図１２】本発明の電気錠システムの第３実施例を示すシステム系統図
【図１３】本発明の第３実施例に例示する電気錠システムの基本動作の一例を示すフローチャート
【符号の説明】
【００９８】
Ｓ  電気錠システム
１  インターホン親機
２  ドアホン子器
３  電気錠制御装置
４  個人識別情報読取照合装置
５  電気錠
１０  外部の通信端末
Ａ  伝言メッセージ登録手段
Ｂ  伝言メッセージ読取手段
Ｃ  伝言メッセージ報知手段
Ｄ  個人識別情報認証解錠手段
Ｉ  記録媒体
Ｎ  通信ネットワーク
【図１】
0004945356.tif 000002
【図２】
0004945356.tif 000003
【図３】
0004945356.tif 000004
【図４】
0004945356.tif 000005
【図５】
0004945356.tif 000006
【図６】
0004945356.tif 000007
【図７】
0004945356.tif 000008
【図８】
0004945356.tif 000009
【図９】
0004945356.tif 000010
【図１０】
0004945356.tif 000011
【図１１】
0004945356.tif 000012
【図１２】
0004945356.tif 000013
【図１３】
0004945356.tif 000014